(57)【特許請求の範囲】
【請求項１】
版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、
第１排版部材は駆動手段により回転駆動され、第２排版部材は第１排版部材の回転に従動して回転する排版装置であって、
第１排版部材は第１支軸及びこれに固定支持された第１排版ローラを有すると共に第２排版部材は第２支軸及びこれに固定支持された第２排版ローラを有し、第２支軸に支持され前記駆動手段からの駆動力を伝達する第２伝達手段と、第１支軸に支持され第２伝達手段からの駆動力を伝達する第１伝達手段とを有し、第１伝達手段は第１支軸に固定支持されると共に第２伝達手段は第２支軸に回転自在に支持されていることを特徴とする排版装置。
【請求項２】
版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、
第１排版部材は駆動手段により回転駆動され、第２排版部材は第１排版部材の回転に従動して回転する排版装置であって、
第１排版部材は第１支軸及びこれに支持された第１排版ローラを有すると共に第２排版部材は第２支軸及びこれに支持された第２排版ローラを有し、第２支軸に固定支持され前記駆動手段からの駆動力を伝達する第２伝達手段と、第１支軸に固定支持され第２伝達手段からの駆動力を伝達する第１伝達手段とを有し、第１排版ローラは第１支軸に固定支持されると共に第２排版ローラは第２支軸に回転自在に支持されていることを特徴とする排版装置。
【請求項３】
版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、
第１排版部材は駆動手段により回転駆動され、第２排版部材は第１排版部材の回転に従動して回転する排版装置であって、
第１排版部材は第１支軸及びこれに固定支持された第１排版ローラを有すると共に第２排版部材は第２支軸及びこれに固定支持された第２排版ローラを有し、第２支軸に支持され前記駆動手段からの駆動力を伝達する第２伝達手段と、第１支軸に支持され第２伝達手段からの駆動力を伝達する第１伝達手段とを有し、第１伝達手段は第１支軸に固定支持されると共に第２伝達手段は第２支軸にトルクリミッタを介して支持されていることを特徴とする排版装置。
【請求項４】
版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、
第１排版部材は駆動手段により回転駆動され、第２排版部材は第１排版部材の回転に従動して回転する排版装置であって、
第１排版部材は第１支軸及びこれに固定支持された第１排版ローラを有すると共に第２排版部材は第２支軸及びこれに固定支持された第２排版ローラを有し、第２支軸に支持され前記駆動手段からの駆動力を伝達する第２伝達手段と、第１支軸され第２伝達手段からの駆動力を伝達する第１伝達手段とを有し、第１伝達手段は第１支軸に固定支持されると共に第２伝達手段は第２支軸に電磁クラッチを介して支持されていることを特徴とする排版装置。
【請求項５】
請求項１ないし４の何れか１つに記載の排版装置を有することを特徴とする孔版印刷装置。
【発明の詳細な説明】
【技術分野】
【０００１】
本発明は、版胴上に孔版原紙を巻装して印刷を行う孔版印刷装置に関し、詳しくは版胴から孔版原紙を排版する排版装置に関する。
【背景技術】
【０００２】
従来、版胴の外周面に穿孔製版された孔版原紙を巻装し、孔版原紙の穿孔部を介して版胴内部より供給されたインキを用紙に転写させることにより、製版画像に応じた印刷画像を用紙上に形成する孔版印刷装置が知られている。印刷に使用された使用済み孔版原紙は印刷動作後も版胴上に巻装された状態を保ち、版胴の開孔部が大気に接触することにより発生するインキ劣化や版胴開孔部へのインキの固化といった不具合現象の発現を防止しており、次版の印刷に先立ち排版装置によって版胴外周面上より剥離されて廃棄される。
【０００３】
版胴上より孔版原紙を剥離する排版装置としては様々なものが提案されているが、最近では画質向上等のために様々な厚さ（強度）や種類の孔版原紙が使用される傾向にあるため、特に厚さが薄く強度の低い孔版原紙が排版装置の排版ローラに巻き付いてしまい良好な排版が行われないという問題点があった。また、強度の高い孔版原紙においては排版時における孔版原紙の挙動が不安定となり、孔版原紙が排版ローラに巻き付いてしまうという問題点があった。そこで、このような問題点を解決すべく、排版ローラへの孔版原紙の巻き付きを防止することが可能な排版装置が例えば「特許文献１」に開示されている。
【発明の概要】
【発明が解決しようとする課題】
【０００４】
しかし「特許文献１」に開示された排版装置では、排版ローラの形状が複雑でありコストアップしてしまうと共に、排版ローラの回転速度制御が複雑であるという問題点があると共に、厚みが薄く強度の低い孔版原紙の場合には、排版ローラとの摩擦等により少しでも孔版原紙に負荷がかかると破損が生じ、破損した箇所から孔版原紙が排版ローラに巻き付いて排版不良が発生してしまうという問題点がある。
【０００５】
本発明は上述した問題点を解決し、孔版原紙の破損を防止して排版ローラへの孔版原紙の巻き付を確実に防止し、良好な排版動作を行うことが可能な排版装置及びこれを用いた孔版印刷装置の提供を目的とする。
【課題を解決するための手段】
【０００６】
請求項１記載の発明は、版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、第１排版部材は駆動手段により回転駆動され、第２排版部材は第１排版部材の回転に従動して回転する排版装置であって、第１排版部材は第１支軸及びこれに固定支持された第１排版ローラを有すると共に第２排版部材は第２支軸及びこれに固定支持された第２排版ローラを有し、第２支軸に支持され前記駆動手段からの駆動力を伝達する第２伝達手段と、第１支軸に支持され第２伝達手段からの駆動力を伝達する第１伝達手段とを有し、第１伝達手段は第１支軸に固定支持されると共に第２伝達手段は第２支軸に回転自在に支持されていることを特徴とする。
【０００７】
請求項２記載の発明は、版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、第１排版部材は駆動手段により回転駆動され、第２排版部材は第１排版部材の回転に従動して回転する排版装置であって、第１排版部材は第１支軸及びこれに支持された第１排版ローラを有すると共に第２排版部材は第２支軸及びこれに支持された第２排版ローラを有し、第２支軸に固定支持され前記駆動手段からの駆動力を伝達する第２伝達手段と、第１支軸に固定支持され第２伝達手段からの駆動力を伝達する第１伝達手段とを有し、第１排版ローラは第１支軸に固定支持されると共に第２排版ローラは第２支軸に回転自在に支持されていることを特徴とする。
【０００８】
請求項３記載の発明は、版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、第１排版部材は駆動手段により回転駆動され、第２排版部材は第１排版部材の回転に従動して回転する排版装置であって、第１排版部材は第１支軸及びこれに固定支持された第１排版ローラを有すると共に第２排版部材は第２支軸及びこれに固定支持された第２排版ローラを有し、第２支軸に支持され前記駆動手段からの駆動力を伝達する第２伝達手段と、第１支軸に支持され第２伝達手段からの駆動力を伝達する第１伝達手段とを有し、第１伝達手段は第１支軸に固定支持されると共に第２伝達手段は第２支軸にトルクリミッタを介して支持されていることを特徴とする。
【０００９】
請求項４記載の発明は、版胴に巻装された使用済み孔版原紙を挟持する互いに圧接した第１排版部材と第２排版部材とを有し、第１排版部材により前記版胴上の前記使用済み孔版原紙に接触してこれをすくい上げ、第２排版部材に巻き付けるように前記使用済み孔版原紙を前記版胴の外周面上より剥離する排版装置において、第１排版部材は駆動手段により回転駆動され、第２排版部材は第１排版部材の回転に従動して回転する排版装置であって、第１排版部材は第１支軸及びこれに固定支持された第１排版ローラを有すると共に第２排版部材は第２支軸及びこれに固定支持された第２排版ローラを有し、第２支軸に支持され前記駆動手段からの駆動力を伝達する第２伝達手段と、第１支軸され第２伝達手段からの駆動力を伝達する第１伝達手段とを有し、第１伝達手段は第１支軸に固定支持されると共に第２伝達手段は第２支軸に電磁クラッチを介して支持されていることを特徴とする。
【００１０】
請求項５記載の発明は、請求項１ないし４の何れか１つに記載の排版装置を有することを特徴とする孔版印刷装置。
【発明の効果】
【００１２】
本発明によれば、排版動作時において第１排版部材のみが回転駆動され、孔版原紙が巻き付く側である第２排版部材は第１排版部材の回転に従動して回転するので、孔版原紙にかかる負荷が低減されることにより孔版原紙が破損することが防止され、孔版原紙の破損に起因する排版動作不良の発生を防止することができる。
【図面の簡単な説明】
【００１３】
【図１】本発明の一実施形態を適用可能な孔版印刷装置の概略正面図である。
【図２】本発明の一実施形態に用いられる第１排版部材及び第２排版部材の概略図である。
【図３】本発明の第１の実施形態に用いられる第１排版ローラ及び第２排版ローラの概略図である。
【図４】本発明の第１の実施形態に用いられる第１ギヤ及び第２ギヤ及びモータを説明する概略図である。
【図５】本発明の第１の実施形態における第１ギヤ及び第２ギヤ及びモータと版胴及び排版ボックスとの位置関係を示す概略図である。
【図６】本発明の第１の実施形態における排版動作を説明する概略図である。
【図７】本発明の第３の実施形態に用いられる第２排版ローラ及びピンを説明する概略図である。
【図８】本発明の第３の実施形態に用いられる第２排版ローラを説明する概略図である。
【図９】本発明の第４の実施形態に用いられる第２排版ローラを説明する概略図である。
【図１０】本発明の第５の実施形態に用いられる電磁クラッチの動作制御を説明する線図である。
【発明を実施するための形態】
【００１４】
図１は、本発明の一実施形態を採用した孔版印刷装置を示している。同図において孔版印刷装置１は、印刷部２、製版部３、給紙部４、排版装置である排版部５、排紙部６、画像読取部７等を有している。
【００１５】
図示しない装置本体のほぼ中央に配設された印刷部２は、版胴９及びプレスローラ１０等を有している。版胴９はインキ供給パイプを兼ねた支軸１１に回転自在に支持されており、図示しない版胴駆動手段によって回転駆動されると共に装置本体に対して着脱自在に構成されている。版胴９の内部には、インキローラ１２、ドクターローラ１３等を有するインキ供給手段１４が配設されており、版胴９の外周面には孔版原紙の先端を保持するクランパ１５が開閉自在に取り付けられている。版胴９の外周面にはインキ供給手段１４から供給されたインキを滲出させる多数の穿孔を有する開口部が設けられている。
【００１６】
版胴９の下方には、一対のアーム部材１６によってその支軸両端を回転自在に支持されたプレスローラ１０が配設されている。プレスローラ１０は、各アーム部材１６が図示しない揺動手段によって揺動されることにより、図１に示す版胴９の外周面より離間した離間位置と版胴９の外周面に所定の圧接力で圧接する圧接位置とを選択的に占める。
【００１７】
装置本体の右上部には製版部３が配設されている。製版部３は、孔版原紙保持部材１７、プラテンローラ１８、サーマルヘッド１９、孔版原紙切断手段２０、孔版原紙搬送ローラ対２１、ガイド板２２等を有している。  
孔版原紙保持部材１７は装置本体の図示しない側板に取り付けられており、熱可塑性樹脂フィルムと多孔性支持体とを貼り合わせてなる孔版原紙２３をロール状に巻成した孔版原紙ロール２３ａの芯部を回転自在かつ着脱自在に支持する。
【００１８】
孔版原紙保持部材１７の左方に配設されたプラテンローラ１８は装置本体８の図示しない側板に回転自在に支持されており、図示しないステッピングモータによって回転駆動される。プラテンローラ１８の下方に位置し多数の抵抗発熱素子を有するサーマルヘッド１９は装置本体の図示しない側板に取り付けられており、図示しない付勢手段の付勢力によってその抵抗発熱素子面をプラテンローラ１８の周面に圧接されている。サーマルヘッド１９は、孔版原紙２３の熱可塑性樹脂フィルム面に接触しつつ各発熱素子を選択的に発熱させ、孔版原紙２３に対して熱溶融穿孔製版を行う。
【００１９】
プラテンローラ１８及びサーマルヘッド１９の左方には孔版原紙切断手段２０が配設されている。装置本体の図示しないフレームに固設された固定刃と、この固定刃に対して移動自在に支持された可動刃とを有する孔版原紙切断手段２０は、固定刃に対して可動刃が回転移動あるいは上下動することにより孔版原紙２３を切断する。
【００２０】
孔版原紙切断手段２０の左方には孔版原紙搬送ローラ対２１及びガイド板２２が配設されている。孔版原紙搬送ローラ対２１は、装置本体８の図示しない側板にそれぞれ回転自在に支持された駆動ローラと従動ローラとを有しており、各駆動ローラはそれぞれ図示しない駆動手段によってプラテンローラ１８と同期して同方向に回転駆動され、各従動ローラは図示しない付勢手段によってそれぞれ対応する駆動ローラに圧接されている。ガイド板２２は装置本体の図示しない側板に取り付けられており、プラテンローラ１８及び孔版原紙搬送ローラ対２１によって搬送される孔版原紙を印刷部２に向けて案内する。
【００２１】
製版部３の下方には給紙部４が配設されている。給紙部４は、給紙トレイ２６、給紙ローラ２７、分離ローラ対２８、レジストローラ対２９等を有している。上面に多数の用紙Ｐを積載可能な給紙トレイ２６は装置本体に上下動自在に支持されており、図示しない昇降手段によって上下動される。給紙トレイ２６の上面には図示しない一対のサイドフェンスが配設されており、各サイドフェンスは用紙搬送方向と直交する用紙幅方向に向けて互いに同期して移動される。
【００２２】
給紙トレイ２６の左端上方には、表面に高摩擦抵抗部材を有する給紙ローラ２７が配設されている。給紙ローラ２７は装置本体に揺動自在に支持された図示しないブラケットに回転自在に支持されており、給紙トレイ２６が図示しない昇降手段によって上昇されたときに、所定の圧接力で給紙トレイ２６上の最上位の用紙Ｐに圧接する。給紙ローラ２７は図示しないステッピングモータによって回転駆動される。
【００２３】
給紙ローラ２７の左方には分離ローラ対２８が配設されている。分離ローラ対２８は、表面にそれぞれ高摩擦抵抗部材を有する上ローラと下ローラとを有しており、上ローラは図示しないステッピングモータによって給紙ローラ２７の回転時にこれと同期して同方向に回転駆動される。下ローラは図示しない付勢手段の付勢力によって上ローラに所定の圧接力で圧接されており、上ローラと同方向へのみ回転自在に構成されている。
【００２４】
分離ローラ対２８の左方には、駆動ローラと従動ローラとを有するレジストローラ対２９が配設されている。駆動ローラは装置本体の図示しない側板間に回転自在に支持されており、図示しないステッピングモータによって回転駆動される。従動ローラは装置本体の図示しない側板間に回転自在に支持されており、図示しない付勢手段の付勢力によって所定の圧接力で駆動ローラに圧接されている。
【００２５】
印刷部２の左上方には排版部５が配設されている。排版部５は、第１排版部材３２、第２排版部材３３、排版ボックス３４、圧縮板３５等を有しており、ユニット化されて装置本体に対して一体的に着脱自在に構成されている。なお、第１排版部材３２及び第２排版部材３３については後述する。  
内部に使用済み孔版原紙２３ｂを貯容する排版ボックス３４は、装置本体に対して着脱自在に構成されている。第１排版部材３２と第２排版部材３３とによって運ばれた使用済み孔版原紙２３ｂを排版ボックス３４の内部に押し込む圧縮板３５は図示しないユニット側板に回動自在に支持されており、図示しない回動手段によって回動される。
【００２６】
排版部５の下方には排紙部６が配設されている。排紙部６は、剥離爪３６、用紙搬送手段３７、排紙トレイ３８等を有している。  
剥離爪３６はその基端を装置本体に揺動自在に支持されており、図示しない爪揺動手段によって揺動されることにより、鋭角状に形成されたその自由端が版胴９の外周面に近接する図に示す近接位置と、クランパ１５等の障害物を回避するために版胴９の外周面より離間する離間位置とを選択的に占める。
【００２７】
剥離爪３６の下方に配設された用紙搬送手段３７は、駆動ローラ、従動ローラ、無端ベルト、吸引ファン等を有しており、図示しない排紙駆動手段によって駆動ローラが回転駆動されると共に吸引ファンが作動されることにより、無端ベルト上に用紙Ｐを吸引しつつ左方へと搬送する。
【００２８】
用紙搬送手段３７の左方には排紙トレイ３８が配設されている。排紙搬送手段３７によって搬送される印刷済みの用紙Ｐが多数積載される排紙トレイ３８は、その上面に積載される用紙Ｐを揃えるための１つのエンドフェンス３９と図示しない一対のサイドフェンスとを有している。
【００２９】
装置本体の上部には画像読取部７が配設されている。画像読取部７は、原稿を載置するコンタクトガラス、コンタクトガラスに対して接離自在な圧板、原稿画像を走査して読み取る走査ユニット、走査された画像を集束するレンズ、集束された画像を処理するＣＣＤ等の画像センサ等を有している。
【００３０】
ここで、第１の実施形態に用いられる第１排版部材３２及び第２排版部材３３について説明する。第１排版部材３２は、図２に示すように、図示しない排版部側板に揺動自在に支持された図示しないブラケットに回転自在に支持された第１支軸２４、第１支軸２４に固定支持された複数の第１排版ローラ３０、第１支軸２４に固定支持された羽根４０ａを有する複数の羽根ローラ４０、第１支軸２４に支持された第１伝達手段としての第１ギヤ４１を有しており、図示しない揺動手段によって図示しないブラケットが揺動することにより、羽根４０ａの先端が版胴９の外周面に巻装された孔版原紙２３に接触する剥離位置と図１に示す離間位置とを選択的に占める。第２排版部材３３は、図示しない排版部側板に回転自在に支持された第２支軸２５、第２支軸２５に固定支持された第１排版ローラ３０と同数の第２排版ローラ３１、第２支軸２５に支持された第２伝達手段としての第２ギヤ４２を有している。第１排版ローラ３０と第２排版ローラ３１とは、第１排版ローラ３０が何れの位置を占めた際にも圧接するように構成されており、第２ギヤ４２は第１ギヤ４１と噛合するように構成されている。
【００３１】
第１排版ローラ３０は、図３（ａ）に示すように外形に凹凸を有さない形状であり、ニトリルゴム等の弾性体によって構成されている。第２排版ローラ３１は、図３（ｂ）に示すように外形に凹凸を有する形状であり、ＡＢＳ樹脂、ポリアセタール等の樹脂によって構成されている。図４に示すように、第１ギヤ４１は第１支軸２４に対してＤ形状の穴によって固定支持されており、第１ギヤ４１の回転に伴い第１支軸２４が回転する。これに対して第２ギヤ４２は第２支軸２５に対して丸形状の穴によって回転自在に支持されており、第２ギヤ４２の回転は第２支軸２５には伝達されない構成となっている。第２ギヤ４２の下方には、各ギヤ４１，４２を回転駆動する駆動手段としてのモータ８が配設されており、モータ８からの回転駆動力はギヤ４３を介して第２ギヤ４２に伝達され、第２ギヤ４２から第１ギヤ４１に伝達される。モータ８の作動により第１支軸２４が回転してこれと一体に第１排版ローラ３０及び羽根ローラ４０が図１において時計回り方向に回転駆動され、第２支軸２５にはモータ８の回転力が伝達されないことから第２排版ローラ３１は第１排版ローラ３０の回転に従動して回転する。図５に各ギヤ４１，４２，４３と版胴９及び排版ボックス３４との位置関係を示す。
【００３２】
上述の構成に基づき、以下に孔版印刷装置１の動作を説明する。  
図示しないコンタクトガラス上に原稿が載置された後に図示しないスタートキーが押下されると、画像読取部７において原稿画像の読取動作が行われると共に、排版部５では版胴９の外周面上から使用済み孔版原紙２３ｂを剥離する排版動作が行われる。図示しないスタートキーが押下されると版胴９が回転を開始し、クランパ１５が第１排版部材３２と対応する所定の排版位置に到達するとその回転が停止される。そして、クランパ１５が開放されると共に第１排版部材３２が剥離位置に移動し、モータ８が駆動することによりクランパ１５上の使用済み孔版原紙２３ｂが回転する羽根ローラ４０によってすくい上げられる。その後、版胴９が回転駆動され、図６に示すように版胴９上の使用済み孔版原紙２３ｂは回転駆動される第１排版ローラ３０及びこれに圧接して従動回転する第２排版ローラ３１により第２排版ローラ３１の周面に巻き付く態様で挟持搬送され、排版ボックス３４内に貯容される。その後、圧縮板３５が作動して排版ボックス３４内の使用済み孔版原紙が圧縮されると共に版胴９が所定の給版位置まで回転して停止し、孔版印刷装置１は給版待機状態となる。
【００３３】
孔版印刷装置１が給版待機状態となると、プラテンローラ１８及び孔版原紙搬送ローラ対２１が回転駆動され、孔版原紙ロール２３ａより孔版原紙２３が引き出される。引き出された孔版原紙２３はサーマルヘッド１９を通過する際に穿孔され、その熱可塑性樹脂フィルム面に製版画像を形成される。孔版原紙２３は製版されつつクランパ１５へと送られ、図示しないステッピングモータのステップ数に基づき孔版原紙２３の先端がクランパ１５によって保持可能な位置まで搬送されるとクランパ１５が閉じられ、製版された孔版原紙２３はその先端部を版胴９の外周面上に保持される。
【００３４】
その後、版胴９が孔版原紙２３の搬送速度と同じ周速度で回転駆動され、孔版原紙２３の版胴９への巻装動作が行われる。そして、１版分の孔版原紙２３が製版されると、プラテンローラ１８及び孔版原紙搬送ローラ対２１の作動が停止されると共に孔版原紙切断手段２０が作動して孔版原紙２３が切断される。切断された孔版原紙２３は版胴９の回転によって製版部３より引き出され、版胴９がホームポジションまで回転して停止することにより製版動作及び給版動作が完了する。
【００３５】
給版動作に引き続き版付け動作が行われる。版胴９がホームポジションで停止すると、給紙部４が作動して給紙トレイ２６上より最上位の１枚の用紙Ｐが引き出され、その先端をレジストローラ対２９に挟持されると共に版胴９が図１において時計回り方向に低速で回転駆動される。そして、版胴９に巻装された孔版原紙２３の版胴回転方向における画像領域先端部がプレスローラ１０との接触部に到達する所定のタイミングでレジストローラ対２９が回転駆動され、用紙Ｐが版胴９とプレスローラ１０との接触部に向けて給送される。レジストローラ対２９の回転とほぼ同時に図示しない揺動手段の作動によりプレスローラ１０がその周面を版胴９の外周面に圧接させ、給送された用紙Ｐが版胴９上の孔版原紙２３に圧接される。この押圧動作によりプレスローラ１０と用紙Ｐと孔版原紙２３と版胴９とが圧接し、インキローラ１２によって版胴９の内周面に供給されたインキが版胴９の開孔部より滲出し、孔版原紙２３の多孔性支持体に充填された後に孔版原紙２３の穿孔部を介して用紙Ｐに転写され、いわゆる版付けが行われる。
【００３６】
版付けによって画像を転写された用紙Ｐは、剥離爪３６によって版胴９の外周面より剥離され、下方へと落下して用紙搬送手段３７へと送られた後、用紙搬送手段３７によって吸引搬送されて排紙トレイ３８上に排出される。その後、版胴９が再びホームポジションまで回転して停止し、版付け動作を終えて孔版印刷装置１は印刷待機状態となる。
【００３７】
孔版印刷装置１が印刷待機状態となった後、印刷枚数が置数された後に図示しないスタートキーが押下されると、給紙部４から用紙Ｐが連続的に給送されて印刷動作が行われる。そして設定された印刷枚数が消化されると、版胴９がホームポジションで停止して孔版印刷装置１は再び印刷待機状態となる。
【００３８】
上述の構成によれば、排版動作時において第１排版ローラ３０のみが回転駆動され、孔版原紙２３が巻き付く側である第２排版ローラ３１は第１排版ローラ３０の回転に従動して回転するので、孔版原紙２３にかかる負荷が低減されることにより孔版原紙２３が破損することが防止され、孔版原紙２３の破損に起因する排版動作不良の発生を防止することができる。
【００３９】
第１の実施形態では、第１支軸２４に対して第１ギヤ４１をＤ形状の穴によって固定支持させると共に第２支軸２５に対して第２ギヤ４２を丸形状の穴によって回転自在に支持させ、各支軸２４，２５に対して各ローラ３０，３１をそれぞれ固定支持させることにより、第１排版ローラ３０の回転に伴い第２排版ローラ３１を従動回転させる構成としたが、第２の実施形態として、第１支軸２４に対して第１排版ローラ３０を固定支持させると共に第２支軸２５に対して第２排版ローラ３１を回転自在に支持させ、各支軸２４，２５に対して各ギヤ４１，４２をそれぞれ固定支持させることにより、第１排版ローラ３０の回転に伴い第２排版ローラ３１を従動回転させる構成としてもよい。この構成によっても第１の実施形態と同様の作用効果を得ることができる。
【００４０】
第３の実施形態として、第１支軸２４に対して第１排版ローラ３０を固定支持させると共に第２支軸２５に対して第２排版ローラ３１を回転自在に支持させ、各支軸２４，２５に対して各ギヤ４１，４２をそれぞれ固定支持させる構成において、図７に示すように、支軸２５にピン４４が貫通可能な穴を形成すると共に第２排版ローラ３１の端面にピン４４が嵌入可能な溝部３１ａを形成し、図８に示すように、第２排版ローラ３１の軸方向への移動をＥリング４５によって規制する構成を採用してもよい。この第３の実施形態によれば、ピン４４を使用しない場合には第２排版ローラ３１が第２支軸２５に対して回転自在であるため上記各実施形態と同様の作用効果を得ることができ、ピン４４を使用する場合には第２排版ローラ３１が第２支軸２５に固定支持されるため、破損の虞が少ない厚みの大きな孔版原紙や高強度の孔版原紙を排版する際に各ローラ３０，３１が共に回転駆動されることから、良好な排版動作を行うことができる。
【００４１】
第４の実施形態として、第１の実施形態において第２ギヤ４２と第２支軸２５との間に、図９に示すようにトルクリミッタ４５を介在させる構成としてもよい。この構成によれば、排版時において使用済み孔版原紙２３ｂの先端に所定値以上の負荷がかかるとトルクリミッタ４５が滑ることにより第２ギヤ４２が空転し、使用済み孔版原紙２３ｂが破損することを防止でき排版動作不良の発生を防止することができる。
【００４２】
第５の実施形態として、第４の実施形態で使用したトルクリミッタ４５に代えて電磁クラッチを用いる構成としてもよい。この場合、各排版部材３２，３３間に設けられた図示しない原紙有無検知スイッチのオンと同時に電磁クラッチをオフさせる（図１０参照）ことにより、第２ギヤ４２が空転して第４の実施形態と同様の作用効果を得ることができる。
【符号の説明】
【００４３】
１  孔版印刷装置
５  排版装置（排版部）
８  駆動手段（モータ）
９  版胴
２３ｂ  使用済み孔版原紙
２４  第１支軸
２５  第２支軸
３０  第１排版ローラ
３１  第２排版ローラ
３２  第１排版部材
３３  第２排版部材
４１  第１伝達手段（第１ギヤ）
４２  第２伝達手段（第２ギヤ）
４５  トルクリミッタ
【先行技術文献】
【特許文献】
【００４４】
【特許文献１】特開２００７−２４５５１０号公報
【図１】
0005707931.tif 000002
【図２】
0005707931.tif 000003
【図３】
0005707931.tif 000004
【図４】
0005707931.tif 000005
【図５】
0005707931.tif 000006
【図６】
0005707931.tif 000007
【図７】
0005707931.tif 000008
【図８】
0005707931.tif 000009
【図９】
0005707931.tif 000010
【図１０】
0005707931.tif 000011